(57)【要約】      （修正有）【課題】歩行困難者が車椅子の座位から降りて他の場所へ移動する場合には、歩行困難者もしくは付添い者は足腰を痛めることが多い。歩行困難者が安全且つ容易に移動できる用具を提供する。【解決手段】  歩行困難者が車椅子の座位から他の座位へ、若しくは他の座位から車椅子の座位へ移る際に起こる歩行困難者若しくは付き添いの心身的負担を取り除くため、三角構造式歩行困難者移動具の懸架構造は支柱の三角錐を組み合わせた組立て式であり、二つの三角錐の頂点ａおよびｂの間に移動レール１を据え付け、移動レール１に移動輪７と滑車８と懸架具９を取付けて歩行困難者を吊り下げ、歩行困難者を移動させる。懸架具９で吊り下げられた歩行困難者が懸架構造の中央から移動する距離に応じた重力モーメントに対抗する力を移動レールの反対方向に張られたバランスロープ１０が補い、三角構造式歩行困難者移動具の転倒を防止する。組み立ておよび解体が容易で可搬可能である。【選択図】図１
0003154469.tif 000002
【実用新案登録請求の範囲】
【請求項１】
移動レールと移動輪と滑車と歩行困難者用懸架具を有し、二つの三角錐を組合せた三角支持構造を特徴とし、歩行困難者が車椅子の座位と他の座位との間を行き来できる三角支持構造型歩行困難者移動具。
【請求項２】
移動輪の下部にある滑車に懸架具により歩行困難者が懸架され、該三角支持構造型歩行困難者移動具の中央から歩行困難者が移動するにつれて、増大する歩行困難者の荷重モーメントに対抗する力を桟橋の止め具に結び付けた一本のロープが補うことを特徴とする三角支持構造型歩行困難者移動具。
【考案の詳細な説明】
【技術分野】
【０００１】  本考案は歩行困難者が車椅子の座位と舟の座位若しくは他の座位との間を安全かつ容易に行き来できる用具に関する。
【背景技術】
【０００２】  歩行困難者が桟橋上の車椅子からボート、カヌー、ヨット、クルーザーの水上乗り物に乗り移る場合、歩行困難者もしくは付き添い者あるいはその両者は過大な肉体的精神的負担が強いられ、しばしば転落する危険な場合に遭遇する。また付き添い者は足腰を痛めることが多い。歩行困難者が自身で、あるいは付き添い者の手を借りて容易に移動具に乗り降り可能で車椅子から他の座位へ移動できる用具、特に身障者野外活動に利用できる軽量で可搬型かつ組み立て式の身障者用移動具が要望されている。
【先行技術文献】
【特許文献】
【０００３】
【特許文献１】特許公開平６−２３３７９７
【特許文献２】特許公開平１１−１１４００７
【考案の概要】
【考案が解決しようとする課題】
【０００４】  心身障害者や高齢者が野外で楽しむ事は健康維持促進に有効である。しかし、障害者や高齢者、特に歩行困難者が車椅子の座位からボート、ヨット、カヌー、クルーザー、和船などの他の座位に移る場合あるいは他の座位から車椅子に戻る場合には、歩行困難者若しくは付き添い者あるいはその両者が精神的にも身体的にも過大な負担が強いられる。本考案は歩行困難者が車椅子の座位から他の座位へ若しくは他の座位から車椅子の座位へ移行する際の心身的負担を安全に容易に軽減し、歩行困難者の移動を確実に実行することである。
【課題を解決するための手段】
【０００５】  本考案は、歩行困難者が車椅子の座位から他の座位へ若しくは他の座位から車椅子の座位へ移る際に起こる歩行困難者若しくは付き添いの心身的負担を安全に容易に軽減するため、移動レール１と移動輪７と滑車８と懸架具９を用いて歩行困難者を吊り下げる道具［図１］である。【０００６】  本考案は、滑車８および懸架具９で吊り下げられ歩行困難者９が懸架構造の中央から移動する距離に応じた重力モーメントに対抗する力を移動レールの反対方向に張られたバランスロープ１０が補う構造［図１］であり、リフトや懸架構造の転倒を防止する。【０００７】  本考案の懸架構造は軽量骨材を用いた組み立て式であり、底辺５，５，６，６の２等辺三角形若しくは三角形を底面とし、ｂ点を頂点とする辺３，３，４の三角錐を基本とする構造並びに底辺３，３，６，６の２等辺三角形若しくは三角形を底面とし、ａ点を頂点とする辺１，２，２の三角錐を基本とする構造［図２］であるため、組み立ておよび解体が容易で可搬可能である。底辺５および６は平板であるため、車椅子の出入が容易である。【０００８】  本考案では、歩行困難者を吊り上げるための滑車８を歩行困難者自身または付き添い者またはその両者が操作、付き添い者が懸架具９のゆれを防ぎながら移動輪７の移動を行い、歩行困難者を移動する。
【考案の効果】
【０００９】  （１）身障者と付き添い者との物理的接触および抱きあげる行為の低減。
（２）身障者および付き添い者の精神的肉体的負担の軽減。
（３）身障者の他の座位への移動が極めて容易になる。
（４）身障者の移動は移動具を使わない時に比べ安全且つ快適且つ容易。
（５）撓みは移動レール１に架かり、支柱２，３，４に押付け力なので強い構造。
（６）身障者が気楽に新たな活動に興味を抱くことが可能
（７）三角構造とバランスロープを採用したので移動具の転倒がない。
（８）身障者若しくは付き添い者または両者が水面への落下防止。
（９）該三角構造式歩行困難者移動具は軽量、簡易のための持ち運びおよび保管が容易である。
（１０）該三角構造式歩行困難者移動具は便利、安価のため普及し、社会に貢献できる。
【図面の簡単な説明】
【００１０】
【図１】三角構造式歩行困難者移動具側面図
【図２】三角構造式歩行困難者移動具平面図
【考案を実施するための最良の形態】
【００１１】  舟と桟橋との間には隙間があり、その隙間に身障者若しくは介添え者若しくはその両者が落下し易い。また舟の座位と車椅子座位との間には勾配と距離がある。
該三角構造式歩行困難者移動具はその勾配と距離の計測に基づき、移動レール１の長さ２００ｃｍから２５０ｃｍ、移動レール１の高さｈが１７０ｃｍから２００ｃｍ、頂点ｂを形成する三角錐の底辺は１５０ｃｍから１８０ｃｍ、ａを頂点とする三角錐の２辺２であり、かつ移動レール１の支持柱２でもある辺の長さは１８０ｃｍから２６０ｃｍが望ましい。該三角構造は支柱の軽量化を促し、中空角材、中空丸材、Ｈ型材の利用を可能にしており、中空角材が最良形態の一つである。該三角構造式歩行困難者移動具を桟橋に組み立て、身障者を吊り下げた移動輪が移動レール１の先端ａに近づくに連れて加重と支点からの距離とのモーメント力が増大して転倒する事を防止するためのバランスロープ１０を桟橋に固定する事が最良の形態である。
【実施例】
【００１２】  組み立て前の該三角構造式歩行困難者移動具を桟橋に運び、頂点ｂの三角錐を組み立て、頂点ａで移動レール１と２本の支柱２を仮止めし、移動レール１に移動輪７を据え付けて、頂点ａの三角錐を組み立てる。頂点ｂにバランスロープ１０を取り付け、そのバランスロープｂの他端を桟橋１１に固定する。歩行困難者が乗っている車椅子を頂点ｂの三角錐の中へ入れる。歩行困難者に懸架具９を取付け、懸架具９に滑車８を取付け、滑車８を移動輪７に取付ける。滑車８のロープを歩行困難者、若しくは付き添い者もしくは両者が協力して歩行困難者を吊り上げ固定する。付き添い者は歩行困難者の揺らぎを支えながら、頂点ａ近くの移動先まで歩行困難者を緩やかに移動させる。歩行困難者または付き添い者は固定されたロープを緩めて船の座位に懸架具９を下す。歩行困難者または付き添い者は懸架具９を取り外す。舟から車椅子の座位へ戻る場合には上記の逆の手順である。
【産業上の利用可能性】
【００１３】  本考案は歩行障害者が車椅子の座位と他の場所の座位の間を安全に移動し易くする道具に関するものであり、歩行障害者、高齢者及び介助者からの要望と期待が強い。該三角構造式歩行困難者移動具の利用は家庭内移動、歩行障害者用室内風呂ないし露天風呂、プールにおいても活用可能である。特に将来の高齢者社会においては他の運搬にも利用可能であり、エネルギーを使っていないので、産業上の利用可能性も高い。
【符号の説明】
【００１４】  １  移動レール
２  頂点ａの支柱
３  頂点ｂの長支柱
４  頂点ｂの短支柱
５  頂点ｂの三角錐の長底辺
６  頂点ｂの三角錐の短底辺
７  移動輪
８  滑車
９  懸架具
１０  バランスロープ
１１  桟橋
１２  舟
【図１】
0003154469.tif 000003
【図２】
0003154469.tif 000004